(57)【要約】【課題】  ＳＩＰ制御部を内蔵することによる中間ユニットを介することなく、移動等により実際に接続しているネットワークセグメントが変わってもＳＩＰによる通信を継続することができるＩＰによる通話および通信が可能なＳＩＰおよびＩＰｖ６にもとづく移動携帯端末装置、パケット通信方法ならびにパケット通信システムを提供する。【解決手段】  移動携帯端末装置１１０，１２０は、お互いに端末固有番号を送受信し、端末固有番号およびＩＰアドレスを対応付けて記憶する。移動携帯端末装置１１０は、移動してＩＰアドレスが変更されると、自身の端末固有番号およびネットワーク１０３におけるＩＰアドレスを移動携帯端末装置１２０に送信する。移動携帯端末装置１２０は、送信された端末固有番号と記憶する端末固有番号とが一致する場合に、ネットワーク１０３におけるＩＰアドレスを対応させて記憶し、再度ＩＰ通信を開始する。【選択図】  図１
2006319453.tif 000002
【特許請求の範囲】
【請求項１】
ＳＩＰおよびＩＰｖ６通信機能を実装し、他の移動携帯端末装置とＳＩＰによるセッションでＩＰｖ６パケットを送受信可能なＳＩＰおよびＩＰｖ６にもとづく移動携帯端末装置において、
他の移動携帯端末装置の端末固有番号とＩＰｖ６アドレスとを対応付けて記憶する端末固有番号記憶手段と、
接続先のネットワークセグメントが変更されて新たにＩＰｖ６アドレスを取得した場合に、新たなＩＰｖ６アドレスと自身を特定可能な端末固有番号とを含むパケットである端末固有番号搭載パケットを生成して他の移動携帯端末装置に送信する端末固有番号搭載パケット生成手段と、
端末固有番号搭載パケットを受信した場合に、受信した端末固有番号搭載パケットに含まれる端末固有番号が前記端末固有番号記憶手段に記憶されている端末固有番号と一致したら、前記端末固有番号記憶手段に記憶されているＩＰｖ６アドレスを、端末固有番号搭載パケットに含まれるＩＰｖ６アドレスに更新するＩＰｖ６アドレス処理手段と
を備えたことを特徴とするＳＩＰおよびＩＰｖ６にもとづく移動携帯端末装置。
【請求項２】
セッション開始前に、端末固有番号とＩＰｖ６アドレスとを含むパケットである初期端末固有番号搭載パケットを生成して他の移動携帯端末装置に送信する初期端末固有番号搭載パケット生成手段と、
初期端末固有番号搭載パケットを受信した場合に、受信した初期端末固有番号搭載パケットに含まれる端末固有番号とＩＰｖ６アドレスとを端末固有番号記憶手段に記憶する端末固有番号設定手段とを備えた
請求項１記載の移動携帯端末装置。
【請求項３】
あらかじめ定められた操作がされた場合に、他の移動携帯端末装置とパケット通信を行うパケット通信手段を備えた
請求項１または請求項２記載の移動携帯端末装置。
【請求項４】
ＳＩＰおよびＩＰｖ６通信機能を実装し、ＳＩＰによるセッションでＩＰｖ６パケットを送受信可能な移動携帯端末装置および他の移動携帯端末装置におけるＳＩＰおよびＩＰｖ６にもとづくパケット通信方法であって、
他の移動携帯端末装置の端末固有番号とＩＰｖ６アドレスとを対応付けて記憶し、
接続先のネットワークセグメントが変更されて新たにＩＰｖ６アドレスを取得した場合に、新たなＩＰｖ６アドレスと自身を特定可能な端末固有番号とを含むパケットである端末固有番号搭載パケットを生成して他の移動携帯端末装置に送信し、
端末固有番号搭載パケットを受信した場合に、受信した端末固有番号搭載パケットに含まれる端末固有番号が、記憶されている端末固有番号と一致したら、記憶されているＩＰｖ６アドレスを端末固有番号搭載パケットに含まれるＩＰｖ６アドレスに更新する
ことを特徴とするＳＩＰおよびＩＰｖ６にもとづくパケット通信方法。
【請求項５】
セッション開始前に、端末固有番号とＩＰｖ６アドレスとを含むパケットである初期端末固有番号搭載パケットを生成して他の移動携帯端末装置に送信し、
初期端末固有番号搭載パケットを受信した場合に、受信した初期端末固有番号搭載パケットに含まれる端末固有番号とＩＰｖ６アドレスとを記憶する
請求項４記載のパケット通信方法。
【請求項６】
あらかじめ定められた操作がされた場合に、他の移動携帯端末装置とパケット通信を行う
請求項４または請求項５記載のパケット通信方法。
【請求項７】
ＳＩＰおよびＩＰｖ６通信機能を実装し、他の移動携帯端末装置とＳＩＰによるセッションでＩＰｖ６パケットを送受信可能な移動携帯端末装置を含むＳＩＰおよびＩＰｖ６にもとづくパケット通信システムであって、
前記移動携帯端末装置は、
他の移動携帯端末装置の端末固有番号とＩＰｖ６アドレスとを対応付けて記憶する端末固有番号記憶手段と、
接続先のネットワークセグメントが変更されて新たにＩＰｖ６アドレスを取得した場合に、新たなＩＰｖ６アドレスと自身を特定可能な端末固有番号とを含むパケットである端末固有番号搭載パケットを生成して他の移動携帯端末装置に送信する端末固有番号搭載パケット生成手段と、
端末固有番号搭載パケットを受信した場合に、受信した端末固有番号搭載パケットに含まれる端末固有番号が前記端末固有番号記憶手段に記憶されている端末固有番号と一致したら、前記端末固有番号記憶手段に記憶されているＩＰｖ６アドレスを、端末固有番号搭載パケットに含まれるＩＰｖ６アドレスに更新するＩＰｖ６アドレス処理手段と
を備えたことを特徴とするＳＩＰおよびＩＰｖ６にもとづくパケット通信システム。
【請求項８】
セッション開始前に、端末固有番号とＩＰｖ６アドレスとを含むパケットである初期端末固有番号搭載パケットを生成して他の移動携帯端末装置に送信する初期端末固有番号搭載パケット生成手段と、
初期端末固有番号搭載パケットを受信した場合に、受信した初期端末固有番号搭載パケットに含まれる端末固有番号とＩＰｖ６アドレスとを端末固有番号記憶手段に記憶する端末固有番号設定手段とを備えた
請求項７記載のパケット通信システム。
【請求項９】
あらかじめ定められた操作がされた場合に、他の移動携帯端末装置とパケット通信を行うパケット通信手段を備えた
請求項７または請求項８記載のパケット通信システム。
【発明の詳細な説明】
【技術分野】
【０００１】
本発明は、ＳＩＰによる通信機能およびＩＰｖ６による通信機能を実装した移動携帯端末装置、それらの通信機能にもとづくパケット通信方法ならびにパケット通信システムに関し、特に、移動携帯端末装置の送信元アドレスが変わったことを通知することにより新しいアドレスで通信を継続することができる移動携帯端末装置、パケット通信方法ならびにパケット通信システムに関する。
【背景技術】
【０００２】
ＩＰ（Ｉｎｔｅｒｎｅｔ  Ｐｒｏｔｏｃｏｌ）を利用した通信においては、各移動携帯端末装置が移動することによって接続先のネットワークセグメントが変わると、移動携帯端末装置自身のＩＰアドレスが新たに割り振られるため、それまでの通信を継続することはできない。受信側が、移動した移動携帯端末装置のＩＰアドレスが変わったことを識別可能であれば、新しいＩＰアドレスで継続して通信することができる。
【０００３】
近年、実用化が進められているＭｏｂｉｌｅ  ＩＰｖ６と呼ばれるプロトコルを利用した通信においては、移動携帯端末装置が実際に接続しているネットワークセグメントに関わらず、同じＩＰｖ６アドレスで通信が可能である。Ｍｏｂｉｌｅ  ＩＰｖ６を利用した通信では、移動携帯端末装置がホームアドレスと呼ばれる専用のＩＰｖ６アドレスを取得するとともに、気付（ｃａｒｅ−ｏｆ）アドレスと呼ばれる移動先のネットワークにおける実質的なＩＰｖ６アドレスを取得する。ホームアドレスは、ホームネットワークと呼ばれるネットワークセグメントにおけるアドレスである。ホームネットワークには、ホームエージェントと呼ばれるサーバ装置が接続される。ホームエージェントは、各移動携帯端末装置のホームアドレスと気付アドレスとを対応付ける情報を有し、外部から送信された移動携帯端末装置のホームアドレス宛のデータを、移動携帯端末装置の気付アドレスに転送したり、移動携帯端末装置が外部の端末装置に向けて送信したデータを、送信元が移動携帯端末装置のホームアドレスであるデータとして転送する機能を有する。
【０００４】
Ｍｏｂｉｌｅ  ＩＰｖ６を利用した通信を実現するためには、ネットワークを提供する通信事業者が、ホームエージェントを設置しなければならない。そのため、通信事業者の負担が大きく、移動携帯端末装置におけるＩＰｖ６通信の普及が進まないという問題がある。
【０００５】
なお、第１の通信ネットワークを介して通信する第１の移動ユニットと第２の通信ネットワークを介して通信する第２の移動ユニットとの間の通信を維持する異種通信ネットワーク間のハンドオーバまたはローミングの方法、コンピュータプログラム製品、およびコンピュータ読み取り可能媒体が提案されている（例えば、特許文献１参照）。
【０００６】
【特許文献１】特表２００４−５２７９２８号公報（段落００４０−００４３）
【発明の開示】
【発明が解決しようとする課題】
【０００７】
しかし、特許文献１に記載された方式では、第１のユニットと第２のユニットとの通信において、第１のユニットが第１の通信ネットワークから第３の通信ネットワークへ接続を切り替える時に、第３のユニットが介在することが必須であるという問題がある。なお、中間ユニットである第３のユニットは、第１のユニットおよび第２のユニットの認証を行う。
【０００８】
そこで、本発明は、中間ユニットを介することなく、移動等により実際に接続しているネットワークセグメントが変わっても通信を継続することができるＳＩＰおよびＩＰｖ６にもとづく移動携帯端末装置、パケット通信方法ならびにパケット通信システムを提供することを目的とする。
【課題を解決するための手段】
【０００９】
本発明によるＳＩＰおよびＩＰｖ６にもとづく移動携帯端末装置は、ＳＩＰおよびＩＰｖ６通信機能を実装し、他の移動携帯端末装置とＳＩＰによるセッションでＩＰｖ６パケットを送受信可能なＳＩＰおよびＩＰｖ６にもとづく移動携帯端末装置であって、他の移動携帯端末装置の端末固有番号とＩＰｖ６アドレスとを対応付けて記憶する端末固有番号記憶手段と、接続先のネットワークセグメントが変更されて新たにＩＰｖ６アドレスを取得した場合に、新たなＩＰｖ６アドレスと自身を特定可能な端末固有番号とを含むパケットである端末固有番号搭載パケットを生成して他の移動携帯端末装置に送信する端末固有番号搭載パケット生成手段と、端末固有番号搭載パケットを受信した場合に、受信した端末固有番号搭載パケットに含まれる端末固有番号が端末固有番号記憶手段に記憶されている端末固有番号と一致したら、端末固有番号記憶手段に記憶されているＩＰｖ６アドレスを、端末固有番号搭載パケットに含まれるＩＰｖ６アドレスに更新するＩＰｖ６アドレス処理手段とを備えたことを特徴とする。
【００１０】
すなわち、本発明による移動携帯端末装置は、ＳＩＰによる通信機能およびＩＭＥＩなどの端末固有番号を送付する機能を備え、他の移動携帯通信装置とＳＩＰによるインターネットを経由したピアトゥーピア通信を行うことが可能である。ＩＰｖ６では、セグメントが変わっても新たにアドレスが割り振られ、ＩＰｖ６のインターネット接続は継続する。そこで、本発明では、移動携帯端末装置が移動してもＳＩＰによる通信を継続できるようにするために、自分のアドレスが変わったことをＩＭＥＩなどの端末固有番号を目印に相手先に知らせる。接続性が確保できれば、ＳＩＰでのセッションにおける認証を、各移動携帯端末装置が担えばよい。よって、移動携帯端末装置は、さらに、ＳＩＰにおいて必要な認証サーバ機能を有することが好ましい。実質的に、移動携帯端末装置が、ホームエージェント機能を備えることになり、中間ユニットを経由することなく継続接続することができる。
【００１１】
セッション開始前に、端末固有番号とＩＰｖ６アドレスとを含むパケットである初期端末固有番号搭載パケットを生成して他の移動携帯端末装置に送信する初期端末固有番号搭載パケット生成手段と、初期端末固有番号搭載パケットを受信した場合に、受信した初期端末固有番号搭載パケットに含まれる端末固有番号とＩＰｖ６アドレスとを端末固有番号記憶手段に記憶する端末固有番号設定手段とを備えてもよい。そのような構成によれば、自動的に、端末固有番号記憶手段に登録されている電話番号やメールアドレスを参照して、ＩＰｖ６アドレス情報を作成し、各移動携帯端末装置に送信することができる。
【００１２】
あらかじめ定められた操作がされた場合に、他の移動携帯端末装置とパケット通信を行うパケット通信手段を備えてもよい。そのような構成によれば、あらかじめ定められたボタンを押下することにより、即時通信が可能となる。
【００１３】
本発明によるＳＩＰおよびＩＰｖ６にもとづくパケット通信方法は、ＳＩＰおよびＩＰｖ６通信機能を実装し、ＳＩＰによるセッションでＩＰｖ６パケットを送受信可能な移動携帯端末装置および他の移動携帯端末装置におけるＳＩＰおよびＩＰｖ６にもとづくパケット通信方法であって、他の移動携帯端末装置の端末固有番号とＩＰｖ６アドレスとを対応付けて記憶し、接続先のネットワークセグメントが変更されて新たにＩＰｖ６アドレスを取得した場合に、新たなＩＰｖ６アドレスと自身を特定可能な端末固有番号とを含むパケットである端末固有番号搭載パケットを生成して他の移動携帯端末装置に送信し、端末固有番号搭載パケットを受信した場合に、受信した端末固有番号搭載パケットに含まれる端末固有番号が、記憶されている端末固有番号と一致したら、記憶されているＩＰｖ６アドレスを端末固有番号搭載パケットに含まれるＩＰｖ６アドレスに更新することを特徴とする。
【００１４】
セッション開始前に、端末固有番号とＩＰｖ６アドレスとを含むパケットである初期端末固有番号搭載パケットを生成して他の移動携帯端末装置に送信し、初期端末固有番号搭載パケットを受信した場合に、受信した初期端末固有番号搭載パケットに含まれる端末固有番号とＩＰｖ６アドレスとを記憶してもよい。そのような構成によれば、自動的に、端末固有番号記憶手段に登録されている電話番号やメールアドレスを参照して、ＩＰｖ６アドレス情報を作成し、各移動携帯端末装置に送信することができる。
【００１５】
あらかじめ定められた操作がされた場合に、他の移動携帯端末装置とパケット通信を行ってもよい。そのような構成によれば、あらかじめ定められたボタンを押下することにより、即時通信が可能となる。
【００１６】
本発明によるＳＩＰおよびＩＰｖ６にもとづくパケット通信システムは、ＳＩＰおよびＩＰｖ６通信機能を実装し、他の移動携帯端末装置とＳＩＰによるセッションでＩＰｖ６パケットを送受信可能な移動携帯端末装置を含むＳＩＰおよびＩＰｖ６にもとづくパケット通信システムであって、移動携帯端末装置は、他の移動携帯端末装置の端末固有番号とＩＰｖ６アドレスとを対応付けて記憶する端末固有番号記憶手段と、接続先のネットワークセグメントが変更されて新たにＩＰｖ６アドレスを取得した場合に、新たなＩＰｖ６アドレスと自身を特定可能な端末固有番号とを含むパケットである端末固有番号搭載パケットを生成して他の移動携帯端末装置に送信する端末固有番号搭載パケット生成手段と、端末固有番号搭載パケットを受信した場合に、受信した端末固有番号搭載パケットに含まれる端末固有番号が端末固有番号記憶手段に記憶されている端末固有番号と一致したら、端末固有番号記憶手段に記憶されているＩＰｖ６アドレスを、端末固有番号搭載パケットに含まれるＩＰｖ６アドレスに更新するＩＰｖ６アドレス処理手段とを備えたことを特徴とする。
【００１７】
セッション開始前に、端末固有番号とＩＰｖ６アドレスとを含むパケットである初期端末固有番号搭載パケットを生成して他の移動携帯端末装置に送信する初期端末固有番号搭載パケット生成手段と、初期端末固有番号搭載パケットを受信した場合に、受信した初期端末固有番号搭載パケットに含まれる端末固有番号とＩＰｖ６アドレスとを端末固有番号記憶手段に記憶する端末固有番号設定手段とを備えてもよい。そのような構成によれば、自動的に、端末固有番号記憶手段に登録されている電話番号やメールアドレスを参照して、ＩＰｖ６アドレス情報を作成し、各移動携帯端末装置に送信することができる。
【００１８】
あらかじめ定められた操作がされた場合に、他の移動携帯端末装置とパケット通信を行うパケット通信手段を備えてもよい。そのような構成によれば、あらかじめ定められたボタンを押下することにより、即時通信が可能となる。
【発明の効果】
【００１９】
本発明によれば、移動等により実際に接続しているネットワークセグメントが変わり、ＩＰｖ６アドレスが再配布された場合にも、ＩＭＥＩ等の固有端末識別番号により、通信相手先ＩＰｖ６アドレスが変わったことを認識でき、固有端末識別番号が一致する端末が相手先と判断できるため、宛先ＩＰｖ６アドレス変更により通信を継続することができる。また、ユーザの操作によらずに、各移動携帯端末装置とパケット通信可能に接続することができる。さらに、複数の移動携帯端末装置と同時に接続でき、マルチキャストによる通信が可能となる。自動的に各移動携帯端末装置とパケット通信可能に接続されるとともに、移動した場合にも通信を継続することができることから、例えば、あらかじめ定められたボタンを押下することにより、即時通信が可能となる。
【発明を実施するための最良の形態】
【００２０】
以下、本発明の実施の形態を図面を参照して説明する。図１は、本発明によるＳＩＰおよびＩＰｖ６にもとづくパケット通信システムの概要を説明する説明図である。図１に示すパケット通信システムは、移動携帯端末装置１１０と、移動携帯端末装置１２０と、無線基地局２１０−１と、無線基地局２１０−２と、無線基地局２２０−１と、無線基地局２２０−２と、無線基地局２３０−１と、無線基地局２３０−２と、パケット交換機３１０と、パケット交換機３２０と、パケット交換機３３０と、ＩＰゲートウェイ４１０と、ＩＰゲートウェイ４２０と、ＩＰゲートウェイ４３０とを備える。
【００２１】
無線基地局２１０−１，２１０−２は、それぞれパケット交換機３１０と通信可能に接続され、パケット交換機３１０は、ＩＰゲートウェイ４１０と通信可能に接続される。同一のネットワークセグメントであるネットワーク１０１は、無線基地局２１０−１，２１０−２、パケット交換機３１０およびＩＰゲートウェイ４１０を含む。
【００２２】
同様に、無線基地局２２０−１，２は、それぞれパケット交換機３２０と通信可能に接続され、パケット交換機３２０は、ＩＰゲートウェイ４２０と通信可能に接続される。同一のネットワークセグメントであるネットワーク１０２は、無線基地局２２０−１，２２０−２、パケット交換機３２０およびＩＰゲートウェイ４２０を含む。無線基地局２３０−１，２は、それぞれパケット交換機３３０と通信可能に接続され、パケット交換機３３０は、ＩＰゲートウェイ４３０と通信可能に接続される。ＩＰゲートウェイ４１０，４２０，４３０は、それぞれインターネット１００を介して通信可能に接続される。同一のネットワークセグメントであるネットワーク１０１は、無線基地局２３０−１，２３０−２、パケット交換機３３０およびＩＰゲートウェイ４３０を含む。
【００２３】
以下の説明では、移動携帯端末装置１１０は、無線基地局２１０−１と無線通信が可能な位置にあって、移動携帯端末装置１２０は、無線基地局２２０−１と無線通信が可能な位置にあるものとする。
【００２４】
移動携帯端末装置１１０，１２０は、携帯電話機やＰＤＡ（Ｐｅｒｓｏｎａｌ  Ｄｉｇｉｔａｌ  Ａｓｓｉｓｔａｎｔｓ）などの移動携帯端末装置であって、通信事業者が提供するパケット通信網および無線回線交換網に接続される。なお、本実施の形態では、移動携帯端末装置１１０，１２０として携帯電話機を例示して説明する。
【００２５】
無線基地局２１０−１，２１０−２，２２０−１，２２０−２，２３０−１，２３０−２は、パケット通信網および無線回線交換網の末端にある装置であり、移動携帯端末装置１１０，１２０と直接交信する。例えば、無線基地局２１０−１は、移動携帯端末装置１１０によって送信されたパケットをパケット交換機３１０に出力するとともに、パケット交換機３１０によって出力されたパケットを、移動携帯端末装置１１０に送信する。
【００２６】
パケット交換機３１０，３２０，３３０は、無線基地局２１０−１〜２３０−２によって送信されたパケットがインターネット１００を介して送信するパケットである場合は、ネットワーク１０１〜１０３およびインターネット１００のプロトコルに応じてパケットを変換してＩＰゲートウェイ４１０〜４３０に出力する。また、受信したパケットの宛先が同一ネットワーク内の端末装置である場合には、ルーティングを行い、該当の無線基地局に出力する。
【００２７】
ＩＰゲートウェイ４１０，４２０，４３０は、インターネットとネットワーク１０１，１０２，１０３とを接続するためのルーティングを行うサーバ装置である。ＩＰゲートウェイ４１０，４２０，４３０は、それぞれネットワーク１０１，１０２，１０３に接続する移動携帯端末装置に、ＩＰｖ６アドレスを付与する。
【００２８】
図１を参照すると、移動携帯端末装置１１０は、無線基地局２１０−１に接続することにより、パケット交換機３１０を介して、ＩＰゲートウェイ４１０からネットワーク１０１におけるＩＰｖ６アドレスを付与される。
【００２９】
移動携帯端末装置１１０は、ネットワーク１０１におけるＩＰｖ６アドレスを用いて、無線基地局２１０−１、パケット交換機３１０およびＩＰゲートウェイ４１０を介してインターネットに接続し、移動携帯端末装置１２０とＩＰｖ６通信を行う。同様に、移動携帯端末装置１２０は、ネットワーク１０２におけるＩＰｖ６アドレスを用いて、無線基地局２２０−１、パケット交換機３２０およびＩＰゲートウェイ４２０を介してインターネットに接続し、移動携帯端末装置１１０とＩＰｖ６通信を行う。移動携帯端末装置１１０，１２０は、お互いにＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）などの端末固有番号を送受信する。移動携帯端末装置１１０は移動携帯端末装置１２０の、移動携帯端末装置１２０は移動携帯端末装置１１０の、端末固有番号およびＩＰｖ６アドレスを対応付けて記憶する。
【００３０】
ここで、移動携帯端末装置１１０が移動することによって、ネットワーク１０３の無線基地局２３０−１、パケット交換機３３０およびＩＰゲートウェイ４３０を介してＩＰｖ６通信を行う場合、移動携帯端末装置１１０は、ネットワーク１０１におけるＩＰｖ６アドレスを利用することはできず、新たにＩＰゲートウェイ４３０から、ネットワーク１０３におけるＩＰｖ６アドレスを付与される。
【００３１】
移動携帯端末装置１１０は、自身の端末固有番号およびネットワーク１０３におけるＩＰｖ６アドレスを移動携帯端末装置１２０に送信する。移動携帯端末装置１２０は、送信された端末固有番号に基づいて記憶する端末固有番号を検索し、一致する場合に、ネットワーク１０３におけるＩＰｖ６アドレスを対応させて記憶する。移動携帯端末装置１２０は、移動携帯端末装置１１０に応答情報を送信し、再度ＩＰｖ６通信を開始する。
【００３２】
図２は、移動携帯端末装置１１０の構成例を示すブロック図である。図２に示す移動携帯端末装置１１０は、ＳＩＰセッション・ＩＰｖ６プロトコル制御部１と、ＩＰｖ６パケット生成部２と、Ｈｅｌｌｏパケット生成部３と、端末固有番号４と、メモリ（アドレステーブル）５と、制御部６と、メモリ部７と、無線通信部８と、ディジタル信号処理部９と、音声信号処理部１０と、スピーカ１１と、マイクロフォン１２と、表示制御部１３と、表示部１４と、入力検出部１５と、操作キー１６と、Ｉ／Ｏポート制御部１７とを備える。なお、図２では、移動携帯端末装置１１０の構成例を示しているが、移動携帯端末装置１２０の構成例は、図２に示す移動携帯端末装置１１０の構成例と同様である。
【００３３】
ＳＩＰセッション・ＩＰｖ６プロトコル制御部１は、ＳＩＰ（Ｓｅｓｓｉｏｎ  Ｉｎｉｔｉａｔｉｏｎ  Ｐｒｏｔｏｃｏｌ）による通信を行うための制御と、ＩＰｖ６によるパケット通信を行うための制御を実行する機能を有する回路である。ＳＩＰセッション・ＩＰｖ６プロトコル制御部１は、音声信号処理部１０やＩ／Ｏポート制御部１７から出力されパケット化されたＩＰｖ６パケットやＨｅｌｌｏパケットを、無線通信部８を介して送受信する。
【００３４】
ＩＰｖ６パケット生成部２は、パケット通信網へ送信するＩＰｖ６パケットを生成するための処理を実行する機能を有する回路である。ＩＰｖ６パケット生成部２は、ＩＰｖ６パケットの拡張ヘッダで指定されるオプションデータとして、データエリアであるペイロードにＩＭＥＩなどの端末固有番号を含むＩＰｖ６パケットを生成する。また、ＩＰｖ６パケット生成部２は、宛先アドレスとして、メモリ（アドレステーブル）５に記憶する通信相手のＩＰｖ６アドレスを設定したＩＰｖ６ヘッダを付加したＩＰｖ６パケットを生成する。
【００３５】
Ｈｅｌｌｏパケット生成部３は、定期的に接続の疎通確認を行うとともに、接続先のネットワークセグメントが変わった場合に、Ｈｅｌｌｏパケットを生成するための処理を実行する機能を有する回路である。Ｈｅｌｌｏパケット生成部３は、ＩＭＥＩなどの端末固有番号を含むデータに、送信元ＩＰｖ６アドレスとして自身のＩＰｖ６アドレスを設定したＩＰｖ６ヘッダを付加したＨｅｌｌｏパケットを生成する。Ｈｅｌｌｏパケット生成部３は、例えば、ＩＣＭＰｖ６プロトコルを利用したＩＰｖ６  Ｐｉｎｇプログラムなどで実現される。
【００３６】
端末固有番号４は、例えばＩＭＥＩなどの端末固有番号を記憶する記憶領域である。端末固有番号は、移動携帯端末装置を特定可能な固有の番号である。端末固有番号４は、例えばＲＯＭ（Ｒｅａｄ  Ｏｎｌｙ  Ｍｅｍｏｒｙ）によって実現される。
【００３７】
メモリ（アドレステーブル）５は、移動携帯端末装置自身のＩＰｖ６アドレスを記憶する記憶領域である。また、アドレステーブル５は、アドレステーブルとして、通信相手のＩＰｖ６アドレス、端末固有番号、ＳＭＳ（Ｓｈｏｒｔ  Ｍｅｓｓａｇｅ  Ｓｅｒｖｉｃｅ）におけるメールアドレスおよび電話番号を含む情報を記憶する記憶領域である。アドレステーブル５は、例えば不揮発性メモリによって実現される。
【００３８】
制御部６は、移動携帯端末装置１１０の各部を制御するＣＰＵ（図示せず。）およびＣＰＵが実行する各種の制御プログラムを記憶するＲＯＭ（図示せず。）を備える。メモリ部７は、各種の設定情報を記憶する記憶領域であって、例えば不揮発性メモリによって実現される。
【００３９】
無線通信部８は、アンテナ（図示せず。）を介して無線回線交換網およびパケット通信網の基地局と無線通信を行う。移動携帯端末装置１１０は、他の移動携帯端末装置等の通信機器と、無線回線交換網およびパケット通信網を介して電話やデータ通信を行うことができる。
【００４０】
ディジタル信号処理部９は、音声等のアナログ信号をディジタル信号に変換するなどの処理を実行する機能を有する。音声信号処理部１０は、音声信号の入出力を制御する処理を実行する機能を有する。スピーカ１１は、通話を行うための受話音声出力装置であり、マイクロフォン１２は、通話を行うための音声入力装置である。
【００４１】
表示制御部１３は、各種の情報を表示部１４に表示する処理を実行する機能を有する。表示部１４は、例えば液晶表示装置や有機ＥＬ（Ｅｌｅｃｔｒｏｌｕｍｉｎｅｓｃｅｎｃｅ）ディスプレイ装置等のディスプレイ装置によって実現され、情報を表示する。
【００４２】
入力検出部１５は、操作キー１６から入力された情報を制御部６に出力する処理を実行する機能を有する。操作キー１６は、情報を入力するための複数のキーを備える。
【００４３】
Ｉ／Ｏポート制御部１７は、他の装置との通信を制御する処理を実行する機能を有する。Ｉ／Ｏポート制御部１７は、例えば、周辺記憶装置との通信を行う。
【００４４】
本実施の形態において、端末固有番号搭載パケット生成手段は、Ｈｅｌｌｏパケット生成部３によって実現される。端末固有番号記憶手段は、アドレステーブル５によって実現される。ＩＰｖ６アドレス処理手段、初期端末固有番号搭載パケット生成手段、端末固有番号設定手段およびパケット通信手段は、制御部６が、その機能を実現するためのプログラムを実行することによって実現される。
【００４５】
次に、図面を参照して本実施の形態の動作について説明する。図３、図４および図５は、パケット通話・通信処理の例を示すフローチャートである。
【００４６】
移動携帯端末装置１１０，１２０の電源がオンになると、移動携帯端末装置１１０，１２０は、無線回線交換網を利用して、あらかじめ通信事業者と契約しているパケット通信網への接続を行う。例えば、移動携帯端末装置１１０は、ＩＰゲートウェイ４１０に接続し、移動携帯端末装置１２０は、ＩＰゲートウェイ４２０に接続する（ステップＳ１）。
【００４７】
ＩＰゲートウェイ４１０は、移動携帯端末装置１１０にネットワーク１０１におけるＩＰｖ６アドレスを送信する。移動携帯端末装置１１０の制御部６は、受信したＩＰｖ６アドレスをアドレステーブル５に記憶する。同様に、ＩＰゲートウェイ４２０は、移動携帯端末装置１２０にネットワーク１０２におけるＩＰｖ６アドレスを送信する。移動携帯端末装置１２０の制御部６は、受信したＩＰｖ６アドレスをアドレステーブル５に記憶する。（ステップＳ２）。
【００４８】
移動携帯端末装置１１０の制御部６が備えるＲＯＭにあらかじめインストールされているＳＭＳ（Ｓｈｏｒｔ  Ｍｅｓｓａｇｅ  Ｓｅｒｖｉｃｅ）等の機能によって、制御部６は、移動携帯端末装置１２０にＩＰｖ６アドレス情報を送信する（ステップＳ３）。ＩＰｖ６アドレス情報は、宛先として移動携帯端末装置１２０の電話番号またはメールアドレスを含み、本文として移動携帯端末装置１１０のＩＰｖ６アドレスを含む情報である。同様に、移動携帯端末装置１２０は、移動携帯端末装置１１０にＩＰｖ６アドレス情報を送信する。なお、制御部６は、自動的に、アドレステーブル５に登録されている電話番号やメールアドレスを参照して、ＩＰｖ６アドレス情報を作成し、各移動携帯端末装置に送信してもよい。
【００４９】
移動携帯端末装置１１０の制御部６は、移動携帯端末装置１２０によって送信されたＩＰｖ６アドレス情報を受信して、移動携帯端末装置１２０のＩＰｖ６アドレスを抽出し、アドレステーブル５に記憶する（ステップＳ４）。同様に、移動携帯端末装置１２０の制御部６は、移動携帯端末装置１１０によって送信されたＩＰｖ６アドレス情報を受信して、移動携帯端末装置１１０のＩＰｖ６アドレスを抽出し、アドレステーブル５に記憶する。移動携帯端末装置１１０のアドレステーブル５に、移動携帯端末装置１２０の電話番号やメールアドレスがすでに登録されている場合は、それらに対応付けて、ＩＰｖ６アドレスを記憶してもよい。
【００５０】
ＳＩＰセッション・ＩＰｖ６プロトコル制御部１は、通常のＩＰｖ６プロトコルによる手順によってＩＰＳＥＣ（ＩＰ  Ｓｅｃｕｒｉｔｙ）によるキー交換を行い、ＶＰＮ（Ｖｉｒｔｕａｌ  Ｐｒｉｖａｔｅ  Ｎｅｔｗｏｒｋ）を形成する（ステップＳ５）。
【００５１】
移動携帯端末装置１１０のＨｅｌｌｏパケット生成部３は、端末固有番号４に記憶するＩＭＥＩなどの端末固有番号を含むＨｅｌｌｏパケットを生成し、移動携帯端末装置１２０に送信する。移動携帯端末装置１２０のＳＩＰセッション・ＩＰｖ６プロトコル制御部１は、Ｈｅｌｌｏパケットを受信して制御部６に出力する。移動携帯端末装置１２０の制御部６は、アドレステーブル５に、移動携帯端末装置１１０の端末固有番号をＩＰｖ６アドレスと対応付けて記憶する（ステップＳ６）。
【００５２】
同様に、移動携帯端末装置１２０のＨｅｌｌｏパケット生成部３は、端末固有番号４に記憶するＩＭＥＩなどの端末固有番号を含むＨｅｌｌｏパケットを生成し、移動携帯端末装置１１０に送信する。移動携帯端末装置１１０のＳＩＰセッション・ＩＰｖ６プロトコル制御部１は、Ｈｅｌｌｏパケットを受信して制御部６に出力する。移動携帯端末装置１１０の制御部６は、アドレステーブル５に、移動携帯端末装置１２０の端末固有番号をＩＰｖ６アドレスと対応付けて記憶する（ステップＳ７）。
【００５３】
図４を参照して、説明を継続する。移動携帯端末装置１１０のＩＰｖ６パケット生成部２が、送信元アドレスとしてネットワーク１０１におけるＩＰｖ６アドレスを設定したＩＰｖ６ヘッダを付加したＳＩＰセッション開始用の各信号を生成し、ＳＩＰセッション・ＩＰｖ６プロトコル制御部１がＳＩＰによるセッションを形成する。移動携帯端末装置１１０がＩｎｉｔｉａｔｏｒ（起動者）である場合、移動携帯端末装置１１０がＩＮＶＩＴＥ信号を生成し、移動携帯端末装置１２０に送信する。移動携帯端末装置１２０は、自身が呼ばれていることを、例えば、呼び出し音やポップアップ表示などによって利用者に対して通知し、その状態をステータス１８０（Ｒｉｎｇｉｎｇ）として移動携帯端末装置１１０に送信する。呼び出しに応じた場合、移動携帯端末装置１２０は、ステータス２００（ＯＫ）を移動携帯端末装置１１０に送信する。移動携帯端末装置１１０は、通信許可としてＡＣＫ信号を送信する。ＳＩＰによるセッションが確立されると、移動携帯端末装置１１０のＩＰｖ６パケット生成部２は、通話および通信データに、送信元アドレスとしてネットワーク１０１におけるＩＰｖ６アドレスを設定したＩＰｖ６ヘッダを付加したＩＰｖ６パケットを生成する。移動携帯端末装置１１０と移動携帯端末装置１２０とは、ＩＰｖ６パケットによる通話や通信を行う（ステップＳ８）。
【００５４】
図５を参照して、説明を継続する。移動携帯端末装置１１０が移動することによって、ネットワーク１０３の無線基地局２３０−１、パケット交換機３３０およびＩＰゲートウェイ４３０を介してＩＰｖ６通信を行う場合、移動携帯端末装置１１０は、ネットワーク１０１におけるＩＰｖ６アドレスを利用することはできない。移動携帯端末装置１１０は、新たにＩＰゲートウェイ４３０に接続し、ネットワーク１０３におけるＩＰｖ６アドレスを受信する（ステップＳ９）。
【００５５】
移動携帯端末装置１１０のＨｅｌｌｏパケット生成部３は、送信元ＩＰｖ６アドレスがネットワーク１０３におけるＩＰｖ６アドレスであって、端末固有番号４に記憶するＩＭＥＩなどの端末固有番号を含むＨｅｌｌｏパケットを生成し、移動携帯端末装置１２０に送信する。移動携帯端末装置１２０は、端末固有番号を含むＨｅｌｌｏパケットを受信すると、受信した端末固有番号に基づいて、アドレステーブル５に記憶されている端末固有番号を検索し、それらの端末固有番号が一致する場合に、アドレステーブル５におけるＩＰｖ６アドレスを、受信したＨｅｌｌｏパケットの送信元ＩＰｖ６アドレスであるネットワーク１０３におけるＩＰｖ６アドレスに更新する。移動携帯端末装置１２０のＳＩＰセッション・ＩＰｖ６プロトコル制御部１は、Ｈｅｌｌｏパケットに対する応答として、宛先ＩＰｖ６アドレスが移動携帯端末装置１１０のネットワーク１０３におけるＩＰｖ６アドレスである応答を送信する（ステップＳ１０）。
【００５６】
移動携帯端末装置１１０のＳＩＰセッション・ＩＰｖ６プロトコル制御部１は、通常のＩＰｖ６プロトコルによる手順によってＩＰＳＥＣによるキー交換を行い、ＶＰＮを形成する（ステップＳ１１）。ＶＰＮが形成されると、移動携帯端末装置１１０のＩＰｖ６パケット生成部２は、通話および通信データに、送信元アドレスとしてネットワーク１０３におけるＩＰｖ６アドレスを設定したＩＰｖ６ヘッダを付加したＩＰｖ６パケットを生成する。移動携帯端末装置１１０と移動携帯端末装置１２０とは、ＩＰｖ６パケットによる通話や通信を継続することができる（ステップＳ１２）。
【００５７】
図６は、移動携帯端末装置１１０の動作を示すフローチャートである。以下の説明では、移動携帯端末装置１１０がＩｎｉｔｉａｔｏｒとして動作する場合を例示する。
【００５８】
移動携帯端末装置１１０の電源がオンになると（ステップＳ２１）、移動携帯端末装置１１０は、無線回線交換網を利用して、あらかじめ通信事業者と契約しているパケット通信網への接続を行い、ＩＰゲートウェイ４１０に接続する（ステップＳ２２）。
【００５９】
移動携帯端末装置１１０は、ＩＰゲートウェイ４１０が送信するネットワーク１０１におけるＩＰｖ６アドレスを受信する。制御部６は、受信したＩＰｖ６アドレスをアドレステーブル５に記憶する（ステップＳ２３）。
【００６０】
制御部６が備えるＲＯＭにあらかじめインストールされているＳＭＳ等によって、移動携帯端末装置１１０は、移動携帯端末装置１２０にＩＰｖ６アドレス情報を送信する（ステップＳ２４）。また、移動携帯端末装置１１０は、移動携帯端末装置１２０によって送信されたＩＰｖ６アドレス情報を受信する（ステップＳ２５）。制御部６は、移動携帯端末装置１２０のＩＰｖ６アドレスを抽出し、アドレステーブル５に記憶する（ステップＳ２６）。
【００６１】
ＳＩＰセッション・ＩＰｖ６プロトコル制御部１は、通常のＩＰｖ６プロトコルによる手順によって、移動携帯端末装置１２０のＳＩＰセッション・ＩＰｖ６プロトコル制御部１とＩＰＳＥＣによるキー交換を行い、ＶＰＮを形成する（ステップＳ２７）。
【００６２】
Ｈｅｌｌｏパケット生成部３は、端末固有番号４に記憶するＩＭＥＩなどの端末固有番号を含むＨｅｌｌｏパケットを生成し、移動携帯端末装置１２０に送信する（ステップＳ２８）。移動携帯端末装置１２０から応答があった場合、ステップＳ２９に移行し、応答がなかった場合、ステップＳ２４に移行する。
【００６３】
ステップＳ２９において、ＳＩＰセッション・ＩＰｖ６プロトコル制御部１は、移動携帯端末装置１２０によって送信されたＨｅｌｌｏパケットを受信する。受信したＨｅｌｌｏパケットは、移動携帯端末装置１２０の端末固有番号４に記憶するＩＭＥＩなどの端末固有番号を含む。制御部６は、アドレステーブル５に、移動携帯端末装置１２０の端末固有番号をＩＰｖ６アドレスと対応付けて記憶する（ステップＳ３０）。
【００６４】
ＳＩＰセッション・ＩＰｖ６プロトコル制御部１は、移動携帯端末装置１２０のＳＩＰセッション・ＩＰｖ６プロトコル制御部１とＳＩＰによるセッションを形成する（ステップＳ３１）。ＳＩＰによるセッションが確立されると、移動携帯端末装置１１０のＩＰｖ６パケット生成部２は、通話および通信データに、送信元アドレスとしてネットワーク１０１におけるＩＰｖ６アドレスを設定したＩＰｖ６ヘッダを付加したＩＰｖ６パケットを生成する。移動携帯端末装置１１０は、移動携帯端末装置１２０とＩＰｖ６パケットによる通話や通信を行う（ステップＳ３２）。
【００６５】
移動携帯端末装置１１０が移動し、ネットワーク１０３の無線基地局２３０−１と通信可能に接続されると（ステップＳ３３）、移動携帯端末装置１１０は、ＩＰゲートウェイ４３０が送信するネットワーク１０３におけるＩＰｖ６アドレスを受信する。制御部６は、受信したＩＰｖ６アドレスをアドレステーブル５に記憶する（ステップＳ３４）。
【００６６】
Ｈｅｌｌｏパケット生成部３は、送信元ＩＰｖ６アドレスがネットワーク１０３におけるＩＰｖ６アドレスであって、端末固有番号４に記憶するＩＭＥＩなどの端末固有番号を含むＨｅｌｌｏパケットを生成し、移動携帯端末装置１２０に送信する（ステップＳ３５）。移動携帯端末装置１２０から応答があった場合、ステップＳ３６に移行し、応答がなかった場合、ステップＳ２４に移行する。
【００６７】
ステップＳ３６において、ＳＩＰセッション・ＩＰｖ６プロトコル制御部１は、通常のＩＰｖ６プロトコルによる手順によって、移動携帯端末装置１２０のＳＩＰセッション・ＩＰｖ６プロトコル制御部１とＩＰＳＥＣによるキー交換を行い、ＶＰＮを形成する。ＶＰＮが形成されると、移動携帯端末装置１１０のＩＰｖ６パケット生成部２は、通話および通信データに、送信元アドレスとしてネットワーク１０３におけるＩＰｖ６アドレスを設定したＩＰｖ６ヘッダを付加したＩＰｖ６パケットを生成する。移動携帯端末装置１１０は、移動携帯端末装置１２０とＩＰｖ６パケットによる通話や通信を継続することができる（ステップＳ３７）。
【００６８】
図７は、移動携帯端末装置１２０の動作を示すフローチャートである。以下の説明では、移動携帯端末装置１１０がＲｅｓｐｏｎｄｅｒ（応答者）として動作する場合を例示する。
【００６９】
移動携帯端末装置１２０の電源がオンになると（ステップＳ４１）、移動携帯端末装置１２０は、無線回線交換網を利用して、あらかじめ通信事業者と契約しているパケット通信網への接続を行い、ＩＰゲートウェイ４２０に接続する（ステップＳ４２）。
【００７０】
移動携帯端末装置１２０は、ＩＰゲートウェイ４２０が送信するネットワーク１０２におけるＩＰｖ６アドレスを受信する。制御部６は、受信したＩＰｖ６アドレスをアドレステーブル５に記憶する（ステップＳ４３）。
【００７１】
制御部６が備えるＲＯＭにあらかじめインストールされているＳＭＳ等によって、移動携帯端末装置１２０は、移動携帯端末装置１１０にＩＰｖ６アドレス情報を送信する（ステップＳ４４）。また、移動携帯端末装置１２０は、移動携帯端末装置１１０によって送信されたＩＰｖ６アドレス情報を受信する（ステップＳ４５）。制御部６は、移動携帯端末装置１１０のＩＰｖ６アドレスを抽出し、アドレステーブル５に記憶する（ステップＳ４６）。
【００７２】
ＳＩＰセッション・ＩＰｖ６プロトコル制御部１は、通常のＩＰｖ６プロトコルによる手順によって、移動携帯端末装置１１０のＳＩＰセッション・ＩＰｖ６プロトコル制御部１とＩＰＳＥＣによるキー交換を行い、ＶＰＮを形成する（ステップＳ４７）。
【００７３】
Ｈｅｌｌｏパケット生成部３は、端末固有番号４に記憶するＩＭＥＩなどの端末固有番号を含むＨｅｌｌｏパケットを生成し、移動携帯端末装置１１０に送信する（ステップＳ４８）。移動携帯端末装置１１０から応答があった場合、ステップＳ４９に移行し、応答がなかった場合、ステップＳ４４に移行する。
【００７４】
ステップＳ４９において、ＳＩＰセッション・ＩＰｖ６プロトコル制御部１は、移動携帯端末装置１１０によって送信されたＨｅｌｌｏパケットを受信する。受信したＨｅｌｌｏパケットは、移動携帯端末装置１１０の端末固有番号４に記憶するＩＭＥＩなどの端末固有番号を含む。制御部６は、アドレステーブル５に、移動携帯端末装置１１０の端末固有番号をＩＰｖ６アドレスと対応付けて記憶する（ステップＳ５０）。
【００７５】
ＳＩＰセッション・ＩＰｖ６プロトコル制御部１は、移動携帯端末装置１１０のＳＩＰセッション・ＩＰｖ６プロトコル制御部１とＳＩＰによるセッションを形成する（ステップＳ５１）。ＳＩＰによるセッションが確立されると、移動携帯端末装置１２０のＩＰｖ６パケット生成部２は、通話および通信データに、送信元アドレスとしてネットワーク１０１におけるＩＰｖ６アドレスを設定したＩＰｖ６ヘッダを付加したＩＰｖ６パケットを生成する。移動携帯端末装置１２０は、移動携帯端末装置１１０とＩＰｖ６パケットによる通話や通信を行う（ステップＳ５２）。
【００７６】
ここで、移動携帯端末装置１１０と、ＩＰｖ６パケット通信による疎通ができなくなった場合、あらかじめ規定した時間が経過するまでの間、自身を宛先とするＨｅｌｌｏパケットを受信するか否かを監視する。受信した場合（ステップＳ５３）、受信したＨｅｌｌｏパケットのペイロードを参照して、ＩＭＥＩなどの端末固有番号を抽出する（ステップＳ５４）。制御部６は、取得した端末固有番号に基づいて、アドレステーブル５に記憶する端末固有番号を検索し（ステップＳ５５）、一致する場合に、ステップＳ５６およびステップＳ５７に移行し、一致しない場合に、ステップＳ４４に移行する。
【００７７】
ステップＳ５６において、制御部６は、一致する端末固有番号に対応させて、受信したＨｅｌｌｏパケットに含まれるＩＰｖ６アドレスを記憶し、アドレステーブル５を更新する。ＳＩＰセッション・ＩＰｖ６プロトコル制御部１は、Ｈｅｌｌｏパケットに対する応答として、宛先ＩＰｖ６アドレスが移動携帯端末装置１１０のネットワーク１０３におけるＩＰｖ６アドレスである応答を送信する
【００７８】
ステップＳ５７において、ＳＩＰセッション・ＩＰｖ６プロトコル制御部１は、通常のＩＰｖ６プロトコルによる手順によって、移動携帯端末装置１１０のＳＩＰセッション・ＩＰｖ６プロトコル制御部１とＩＰＳＥＣによるキー交換を行い、ＶＰＮを形成する。ＶＰＮが形成されると、移動携帯端末装置１２０のＩＰｖ６パケット生成部２は、ステップＳ５６において更新したＩＰｖ６アドレスを宛先とするＩＰｖ６パケットを作成し、移動携帯端末装置１１０とＩＰｖ６パケットによる通話や通信を継続することができる（ステップＳ５８）。
【００７９】
以上に説明したように、本実施の形態によれば、ＩＭＥＩなどの端末固有番号をＩＰｖ６パケットのペイロードに付与して送信し、端末固有番号を参照して通信相手を判別することから、移動等により実際に接続しているネットワークセグメントが変わった場合にも、ホームエージェントを介することなく通信を継続することができる。すなわち、Ｈｅｌｌｏパケットでの接続維持により、ホームエージェントサーバ（第３のユニット）を意識しないで、接続が可能である。
【００８０】
また、自動的に、アドレステーブル５に登録されている電話番号やメールアドレスを参照して、ＩＰｖ６アドレス情報を作成し、各移動携帯端末装置に送信することにより、ユーザの操作によらずに、各移動携帯端末装置とパケット通信可能に接続することができる。さらに、アドレステーブル５に複数の移動携帯端末装置に関する情報が登録されている場合には、複数の移動携帯端末装置と同時に接続でき、マルチキャストによる通信が可能となる。
【００８１】
さらに、自動的に各移動携帯端末装置とパケット通信可能に接続されるとともに、移動した場合にも通信を継続することができることから、例えば、あらかじめ定められたボタンを押下することにより、即時通信が可能となる。
【００８２】
なお、本実施の形態においては、端末固有番号としてＩＭＥＩを例示したが、電話番号やその他の固有の番号であってもよい。また、Ｈｅｌｌｏパケット生成部３として、ＩＣＭＰｖ６プロトコルを利用する場合を例示したが、疎通を確認することができ、端末固有番号を付与したパケットを生成することができるのであれば、これに限定されない。
【産業上の利用可能性】
【００８３】
本発明は、ＳＩＰおよびＩＰｖ６にもとづくパケット通話およびパケット通信が可能な移動携帯端末装置に効果的に適用できる。
【図面の簡単な説明】
【００８４】
【図１】本発明によるパケット通信システムの概要を説明する説明図である。
【図２】移動携帯端末装置の構成例を示すブロック図である。
【図３】パケット通話・通信処理の例を示すフローチャートである。
【図４】パケット通話・通信処理の例を示すフローチャートである。
【図５】パケット通話・通信処理の例を示すフローチャートである。
【図６】移動携帯端末装置（起動者）の動作を示すフローチャートである。
【図７】移動携帯端末装置（応答者）の動作を示すフローチャートである。
【符号の説明】
【００８５】
１００                  インターネット
１０１，１０２，１０３  ネットワーク
１１０，１２０          移動携帯端末装置
２１０−１，２１０−２  無線基地局
２２０−１，２２０−２  無線基地局
２３０−１，２３０−２  無線基地局
３１０，３２０，３３０  パケット交換機
４１０，４２０，４３０  ＩＰゲートウェイ
【図１】
2006319453.tif 000003
【図２】
2006319453.tif 000004
【図３】
2006319453.tif 000005
【図４】
2006319453.tif 000006
【図５】
2006319453.tif 000007
【図６】
2006319453.tif 000008
【図７】
2006319453.tif 000009